(57)【要約】      （修正有）【課題】ユーザが主に蓄積しているポイントを自動識別して、購買・申し込みなど広告主の指定アクションを行うと、当該ポイントがインセンティブとして還元されるポイントリターゲティング広告を配信する方法を提供する。【解決手段】ネット広告配信のコンピューティングシステムにおいて、ポイント会員サイトまたは広告主サイト訪問時にユーザ毎にユニークなユーザ識別ＩＤを付与すること、前記ユーザ識別ＩＤと広告購買システムのユーザＩＤと紐づけて記憶すること、ユーザがポイント会員サイトを閲覧するさいに、ユーザＩＤとポイントサイトのサイト識別ＩＤと閲覧日時を少なくとも含む閲覧記録を記憶することにより、ポイント会員サイトの閲覧記録を持つユーザＩＤに紐づいた広告購買システムユーザＩＤを持つ広告入札要求が来た場合、ポイント会員サイト毎に登録されてある当該ポイント付与広告を入札する。【選択図】図１
2018081663.tif 000002
【特許請求の範囲】
【請求項１】
つぎの事項（１）〜（５）により特定される方法。
（１）ネット広告配信のコンピューティングシステムにおいて実施するコンピューティングの方法であること
（２）本システムはポイント会員サイトまたは広告主サイト訪問時にユーザ毎にユニークなユーザ識別ＩＤを付与すること
（３）本システムは、前記ユーザ識別ＩＤと広告購買システムのユーザＩＤと紐づけて記憶すること
（４）本システムは、ユーザがポイント会員サイトに閲覧するさいに、ユーザＩＤとポイントサイトのサイト識別ＩＤと閲覧日時を少なくとも含むアクセス閲覧記録を記憶すること
（５）本システムは広告購買システムより、ポイント会員サイトの閲覧記録を持つユーザＩＤに紐づいた広告購買システムユーザＩＤを持つ広告入札要求が来た場合、ポイント会員サイト毎に登録されてある当該ポイント付与広告を入札すること
【請求項２】
つぎの事項（６）〜（８）により特定される請求項１に記載のネット広告の配信方法
（６）本システムはユーザＩＤに紐づけて広告主サイトの閲覧履歴を記憶すること
（７）該広告主サイトの購買・申し込み完了ページの閲覧履歴を区分して記憶すること
（８）広告購買システムより、ポイント会員サイトの閲覧記録を持つユーザＩＤに紐づいた広告購買システムユーザＩＤを持つ広告入札要求が来た場合、広告主の指定期間内の閲覧履歴を持つユーザを除外してポイント会員サイト毎に登録されてある当該ポイント付与広告を入札すること
【請求項３】
つぎの事項（９）〜（１１）により特定される請求項１に記載の方法。
（９）本システムはユーザＩＤに紐づけて広告主サイトの閲覧履歴を記憶すること
（１０）該広告主サイトの購買・申し込み完了ページの閲覧履歴を区分して記憶すること
（１１）広告購買システムより、ポイント会員サイトの閲覧記録を持つユーザＩＤに紐づいた広告購買システムユーザＩＤを持つ広告入札要求が来た場合、広告主ページの指定期間内または指定期間外の閲覧履歴があるユーザのみを対象として、ポイント会員サイト毎に登録されてある当該ポイント付与広告を入札すること
【請求項４】
つぎの事項（１２）〜（１４）により特定される請求項１，３のいずれかに記載の方法。
（１２）本システムはユーザＩＤに紐づけて広告主サイトの閲覧履歴を記憶すること
（１３）該広告主サイトの購買・申し込み完了ページの閲覧履歴を閲覧履歴と区分して記憶すること
（１４）広告購買システムより、ポイント会員サイトの閲覧記録を持つユーザＩＤに紐づいたユーザＩＤを持つ広告入札要求が来た場合、広告主の指定期間内の購入・申し込み完了ページの閲覧履歴があるユーザを除外して、ポイント会員サイト毎に登録されてある当該ポイント付与広告を入札すること。
【請求項５】
つぎの事項（１５）により特定される請求項１〜４のいずれかに記載の方法。
（１５）広告購買システムより、ポイントサイトへの閲覧記録を持つユーザＩＤに紐づいた広告購買システムユーザＩＤを持つ広告入札要求が来た場合、同時に通知された該ユーザの位置情報が広告主の指定範囲にある際に、ポイント会員サイト毎に登録されてある当該ポイント付与広告を入札すること。
【請求項６】
つぎの事項（１６）により特定される請求項１〜５に記載の方法
（１６）広告購買システムより、複数のポイント会員サイトへの閲覧記録を持つユーザＩＤに紐づいた広告購買システムユーザＩＤを持つ広告入札要求が来た場合、最も新しい閲覧履歴のあるポイント会員サイトのポイントを付与する広告を入札すること。
【請求項７】
つぎの事項（１７）により特定される請求項１〜５に記載の方法。
（１７）広告購買システムより、複数のポイント会員サイトの閲覧記録を持つユーザＩＤに紐づいた広告購買システムユーザＩＤを持つ広告入札要求が来た場合、指定期間で最も閲覧回数が多いポイント会員サイトのポイントを付与する広告を入札すること。
【請求項８】
つぎの事項（１８）により特定される請求項１〜５に記載の方法。
（１８）広告購買システムより、複数のポイント会員サイトへの閲覧記録を持つユーザＩＤに紐づいた広告購買システムユーザＩＤを持つ広告入札要求が来た場合、指定期間で最も滞在時間の長いポイント会員サイトのポイントを付与する広告を入札すること。
【請求項９】
つぎの事項（１９）により特定される請求項１〜５に記載の方法。
（１９）広告購買システムより、複数のポイント会員サイトへの閲覧記録を持つユーザＩＤに紐づいた広告購買システムユーザＩＤを持つ広告入札要求が来た場合、ユーザが複数の閲覧履歴があるポイント会員サイトよりポイント会員自身が付与するポイントを選択することのできる広告を入札すること
ここから書き始めます。
【発明の詳細な説明】
【技術分野】
【０００１】  この発明は、本発明は、インターネット広告の配信技術に関し、一つ以上のポイント会員サイトと連携してユーザが広告の指定アクションを行うと、ユーザが主に収集しているポイントがインセンティブとしてユーザに還元されるポイントリターゲティング広告を配信するための装置、方法及びプログラムに関する。
【背景技術】
【０００２】周知のように、インターネット広告の手法の一つとして、広告主のウェブサイトを訪問した利用者の履歴を元に、この利用者が一旦ウェブサイトを離れたのちに、リターゲティング広告サービスを提供する事業者のウェブサイトにアクセスした際に、広告主のウェブサイトへの再訪を促す広告を配信するリターゲティング広告（特許文献１、非特許文献１）が知られている。特許文献２では、リターゲティング広告により特定できたオーディエンスの数が少ない場合にも、類似のオーディエンスに対して広告を行う手法が開示されている。【０００３】  リターゲティング広告は、商品の購入などの成約率が高くなる傾向にある、広告主に一定の興味を持つ利用者に、繰り返し広告主の情報を提示することができるというメリットを有する。しかしながら、リターゲティングの手法によると同じ広告が何度も繰り返し表示されてしまい飽きが生じ、ユーザによっては広告効果がかえって低くなってしまう可能性がある。  本発明は、広告主ＷＥＢサイトの閲覧者を、リターゲティングするのみでなく、ポイント会員サイトの会員（ＬＯＧＩＮ）区間の閲覧者であれば、当該ポイントの収集者であると推定できることより、当該ポイント会員に購買・申し込みなど広告主の指定アクションを行うと、当該ポイントがインセンティブとしてユーザに還元される広告を配信する。  ユーザが収集しているポイントがインセンティブとして付与されることより、通常の広告や、一律に共通ポイント等を付与する広告よりクリック率ならびに成約率が高いポイントリターゲティング広告を配信することのできる広告配信装置、広告配信方法およびプログラムを提供することを目的とする。また、広告主の閲覧・購買履歴をポイント会員サイトの閲覧履歴とクロス照合することにより、購買者を除外してポイントコストを節減する、閲覧者を除外して完全新規ユーザのみをポイントリターゲティングする、閲覧者のうち通常のリターゲティング広告で成約しなかった会員をポイントリターゲティングして成約を促進することのできる広告配信装置、広告配信方法およびプログラムを提供することを目的とする。
【先行技術文献】
【特許文献】
【０００４】
【特許文献１】特開２０１３−２５７７２４号公報
【特許文献２】特開２０１２−０９４０９７号公報
【非特許文献】
【０００５】
【非特許文献１】グーグル株式会社、“リマーケティングについて”、［ｏｎｌｉｎｅ］、［平成２８年１０月２５日検索］、インターネット＜ＵＲＬ：ｈｔｔｐｓ：／／ｓｕｐｐｏｒｔ．ｇｏｏｇｌｅ．ｃｏｍ／ａｄｗｏｒｄｓ／ａｎｓｗｅｒ／２４５３９９８？ｈｌ＝ｊａ＆ｒｅｆ＿ｔｏｐｉｃ＝３１２２８７５  ＞
【発明の概要】
【０００６】＝＝＝発明の目的＝＝＝
この発明の目的は、ユーザが収集しているポイントを自動識別して、購買・申し込みなど広告主の指定アクションを行うと、当該ポイントがインセンティブとして還元されることが表示されているポイントリターゲティング広告を配信することにある。  また、広告主の購買者を除外する、広告主サイトの閲覧者を除外する、閲覧者のうち通常のリターゲティング広告で成約しなかった会員をポイントリターゲティングできる広告を配信できるようにすることにある。
【０００７】＝＝＝発明の核心となす技術事項＝＝＝
上記目的を達成するために創作された本発明は、基本的に、つぎの事項（１）〜（５）により特定される方法として把握することができる（これを発明１とする）。
（１）ネット広告配信のコンピューティングシステムにおいて実施するコンピューティングの方法であること
（２）本システムはポイント会員サイトまたは広告主サイト訪問時にユーザ毎にユニークなユーザ識別ＩＤを付与すること
（３）本システムは、前記ユーザ識別ＩＤとＳＳＰ（サプライサイドプラットフォーム）等の広告購買システム（以下広告購買システム）のユーザＩＤと紐づけて記憶すること
（４）本システムは、ユーザがポイントサイト会員区間を閲覧するさいに、ユーザＩＤとポイント会員サイトのサイト識別ＩＤと閲覧日時を少なくとも含む閲覧記録を記憶すること
（５）本システムは広告購買システムより、ポイント会員サイトへの閲覧記録を持つユーザＩＤに紐づいた広告購買システムユーザＩＤを持つ広告入札要求が来た場合、ポイント会員サイト毎に登録されている当該ポイント付与広告を入札すること
【０００８】また発明２は、発明１を前提として、つぎの事項（６）〜（８）により特定される方法である。
（６）本システムはユーザＩＤに紐づけて広告主サイトの閲覧履歴を記憶すること
（７）該広告主サイトの購買・申し込み完了ページの閲覧履歴を区分して記憶すること
（８）広告購買システムより、ポイント会員サイトへの閲覧記録を持つユーザＩＤに紐づいた広告購買システムユーザＩＤを持つ広告入札要求が来た場合、広告主サイトの指定期間内の閲覧履歴を持つユーザを除外してポイント会員サイト毎に登録されている当該ポイント付与広告を入札すること
【０００９】また発明３は、発明１または２を前提として、つぎの事項（９）〜（１１）により特定される方法である。
（９）本システムはユーザＩＤに紐づけて広告主サイトの閲覧履歴を記憶すること
（１０）該広告主サイトの購買・申し込み完了ページの閲覧履歴を区分して記憶すること
（１１）広告購買システムより、ポイント会員サイトへの閲覧記録を持つユーザＩＤに紐づいた広告購買システムユーザＩＤを持つ広告入札要求が来た場合、広告主ページの指定期間内または指定期間外の閲覧履歴があるユーザのみを対象として、ポイント会員サイト毎に登録されている当該ポイント付与広告を入札すること
【００１０】また発明４は、発明１〜３のいずれかを前提として、つぎの事項（１２）〜（１４）により特定される方法である。
（１２）本システムはユーザＩＤに紐づけて広告主サイトの閲覧履歴を記憶すること
（１３）該広告主サイトの購買・申し込み完了ページの閲覧履歴を閲覧履歴と区分して記憶すること
（１４）広告購買システムより、ポイント会員サイトの閲覧記録を持つユーザＩＤに紐づいた広告購買システムユーザＩＤを持つ広告入札要求が来た場合、広告主の指定期間内の購入・申し込み完了ページの閲覧履歴があるユーザを除外して、ポイント会員サイト毎に登録されている当該ポイント付与広告を入札すること。
【００１１】また発明５は、発明１〜４のいずれかを前提として、つぎの事項（１５）により特定される方法である。
（１５）広告購買システムより、ポイント会員サイトの閲覧履歴を持つユーザＩＤに紐づいた広告購買システムユーザＩＤを持つ広告入札要求が来た場合、同時に通知された該ユーザの位置情報が広告主の指定範囲にある際に、ポイント会員サイト毎に登録されてある当該ポイント付与広告を入札すること。
【００１２】また発明６は、発明１〜５を前提として、つぎの事項（１６）により特定される方法である。
（１６）広告購買システムより、複数のポイントサイトの閲覧履歴を持つユーザＩＤに紐づいた広告購買システムユーザＩＤを持つ広告入札要求が来た場合、最も新しい閲覧履歴のあるポイント会員サイトのポイントを付与する広告を入札すること。
【００１３】また発明７は、発明１〜５を前提として、つぎの事項（１７）により特定される方法である。
（１７）広告購買システムより、複数のポイント会員サイトの閲覧記録を持つユーザＩＤに紐づいた広告購買システムユーザＩＤを持つ広告入札要求が来た場合、指定期間で最も閲覧回数が多いポイント会員サイトのポイントを付与する広告を入札すること。
【００１４】また発明８は、発明１〜５を前提として、つぎの事項（１８）により特定される方法。
（１８）広告購買システムより、複数のポイント会員サイトの閲覧履歴を持つユーザＩＤに紐づいた広告購買システムユーザＩＤを持つ広告入札要求が来た場合、指定期間で最も閲覧時間が長いポイント会員サイトのポイントを付与する広告を入札すること。
【００１５】また発明９は、発明１〜５を前提として、つぎの事項（１９）により特定される方法。
（１９）広告購買システムより、複数のポイント会員サイトの閲覧履歴を持つユーザＩＤに紐づいた広告購買システムユーザＩＤを持つ広告入札要求が来た場合、ユーザの閲覧履歴がある複数のポイント会員サイトよりポイント会員自身が付与するポイントを選択することのできる広告を入札すること。
ユーザが主に蓄積しているポイントを自動識別して、購買・申し込みなど広告主の指定アクションを行うと、当該ポイントがインセンティブとして還元されるポイントリターゲティング広告を配信する。  また、広告主の購買者を除外するか、広告主サイトの閲覧者を除外するか、閲覧者のうち、通常のリターゲティング広告で成約しなかった会員をポイントリターゲティングできる広告を配信できるようにすることにある。
【発明の効果】この発明によれば、購買・申し込みなど広告主の指定アクションを行うと、ユーザが収集しているポイントがインセンティブとして付与されることより、通常の広告より、クリック率・成約率が高いポイントリターゲティング広告を配信できる。また、広告主の購買者を除外してポイントコストを節減する、広告主サイトの閲覧者を除外して完全新規ユーザのみをポイントリターゲティングして新規ユーザ獲得を促進する、広告主サイトの閲覧者のうち、通常のリターゲティング広告で成約しなかった会員のみをポイントリターゲティングして成約を促進する広告を配信できる。
【図面の簡単な説明】
【図１】全体システム構成図
【図２】広告主サイト・ポイント会員サイト閲覧ページ設置通知ＴＡＧ例
【図３】広告主サイト注文完了ページ設置通知ＴＡＧ例
【図４】広告主ＴＡＧ設定ページ遷移例
【図５】ポイントリターゲティングユーザＩＤと連携するＳＳＰのユーザＩＤの対応表
【図６】ポイントリターゲティングサーバ広告主管理画面設定例
【図７】ポイントリターゲティングサーバ広告主管理（ポイントサイト）画面設定例
【図８】ユーザＩＤ：１２３４５６７のポイントサイト閲覧履歴例
【図９】ユーザＩＤ：１２３４５６７のポイントサイト閲覧履歴例
【図１０】広告入札・落札・配信フロー
【図１１】広告バナー  クリックページ遷移
【図１２】携帯端末実店舗広告主管理画面入札条件設定例
【図１３】携帯端末実店舗広告入札・落札・配信フロー
【図１４】携帯通信端末広告バナー・クリック遷移
【図１５】ユーザ選択ポイント広告バナー・クリック遷移
【発明を実施するための形態】
【００１６】本発明は、広告主側広告プラットフォームである、ＤＳＰ（デマンドサイドプラットフォーム以下ＤＳＰ）の新機能としてポイントリターゲティングを以下により実現する。
【００１７】図１に記載の全体システム構成図の説明を行う。
▲１▼ポイントリターゲティングサーバはＤＳＰシステムにポイントリターゲテイング機能を拡張機能として実装する。
▲１▼−１  中央処理装置は各モジュールからの入出力を演算処理する。
▲１▼−２  閲覧履歴取得モジュールは▲２▼−１〜２のポイント会員サイトに設置されたＴＡＧ、▲２▼−３〜４の広告主ページに設置されたＴＡＧより閲覧履歴を取得する。
▲１▼−３  閲覧履歴Ｄ／Ｂはポイント会員サイト・広告主サイトの閲覧履歴を記憶する。
▲１▼−４  広告Ｄ／Ｂは▲１▼−５の広告主管理画面から入力された広告の入札条件・広告バナー他各種情報を記憶する。
▲１▼−５  広告主管理画面は▲５▼広告主管理端末と通信して広告主がデータの入出力を行う。
▲１▼−６  広告入札モジュールは、▲３▼−１〜２のＳＳＰ＿ｘ、ＳＳＰ＿ｙより広告配信条件にマッチした広告入札要求が来たら、指定された金額で入札を行う。
▲１▼−７  広告配信モジュールは落札した広告スペースに広告を配信する。
▲２▼−１はポイント会員ＷＥＢページで閲覧通知ＴＡＧが設置されている
▲２▼−２はポイント会員ログイン済ページで閲覧通知ＴＡＧが設置されている。
▲２▼−３は広告主ＷＥＢページで閲覧通知ＴＡＧが設置されている。
▲３▼−４は広告主取引完了ページで閲覧通知ＴＡＧが設置されている。
▲３▼−１はＳＳＰ＿ｘで▲４▼−１〜３のメディア１〜３に広告配信枠を持ち▲１▼−６広告入札モジュールと通信して広告スペースのオークションを行う。
▲３▼−２はＳＳＰ＿ｙで▲４▼−４〜６のメディア４〜６に広告配信枠を持ち▲１▼−６広告入札モジュールと通信して広告スペースのオークションを行う
【００１９】＝＝＝ポイント会員サイトへのタグの設定＝＝＝
本発明は、広告主サイトに加えて、一以上のポイント会員サイトの閲覧履歴を取得するために、ポイント会員サイトにポイントリターゲティングサーバと通信し閲覧履歴を通知する図２のＪＡＶＡＳＣＲＩＰＴ（以下ＪＳ）タグもしくは図３のＩＭＧタグを設定する。  またログイン後会員専用ページにも同様にＪＳタグもしくはＴＭＧタグを設置する。同様にポイント会員アプリの場合はＳＤＫを組み込み端末識別ＩＤにユニークなユーザＩＤがひもづけられる。  これらのタグ・ＳＤＫはポイント会員サイトが閲覧される際に、ユニークブラウザ（端末）毎にＣＯＯＫＩＥとして書き込まれるユーザＩＤを発行するか端末ＩＤと紐づけて記憶される。  ポイント会員サイト・アプリが閲覧されるたびポイントリターゲティングサーバに、ユーザＩＤ毎にポイント会員ページの閲覧履歴が通知されデータベースに記憶される。
また、ログイン後の会員専用ページが閲覧される際には、ログイン後閲覧履歴として区分してユーザＩＤ毎に記憶される。
【００２０】＝＝＝広告主サイトへのタグの設定＝＝＝
通常のＤＳＰと同様に閲覧履歴を取得するために、広告主サイトにポイントリタゲ−ゲティングサーバと通信し閲覧履歴を通知する図２のＪＡＶＡＳＣＩＲＰＴ（以下ＪＳ）タグもしくは図３のＩＭＧタグを設置する。  また取引完了ページにも同様にＪＳタグもしくはＩＭＧタグを設置する。図４は広告主ページへの設置例である。同様に広告主アプリの場合は専用ＳＤＫを組み込まれる。これらのタグ・ＳＤＫは広告主サイト・アプリが閲覧される際に、ユニークブラウザ毎にＣＯＯＫＩＥとして書き込まれるユーザＩＤを発行するか端末ＩＤと紐づけて記憶される。  広告主サイト・アプリが閲覧されるたびリタゲサーバに、ユーザＩＤ毎に広告主ページの閲覧履歴が通知されデータベースに記憶される。  また、取引完了ページが閲覧される際には、購入履歴として区分してユーザＩＤ毎に記憶される。
【００２１】ポイントリターゲティングサーバユーザＩＤと連携するＳＳＰのユーザＩＤを紐づけて記憶する。図５はリターゲティングサーバのユーザＩＤと連携するＳＳＰのユーザＩＤの対応テーブル例である。  同期方法については、下記の非特許文献２，３に詳細な説明があるように周知である。
【非特許文献２】Ｓｕｐｅｒｓｈｉｐ株式会社，“いまさら聞けないＣｏｏｋｉｅ  Ｓｙｎｃの仕組み”［ｏｎｌｉｎｅ］、［平成２８年１０月２５日検索］、インターネットｈｔｔｐ：／／ｗｗｗ．ｓｃａｌｅｏｕｔ．ｊｐ／２６９９２／
【非特許文献３】”ＤＳＰとＳＳＰを連携するＣｏｏｋｉｅＳｙｎｃの流れ”［ｏｎｌｉｎｅ］、［平成２８年１０月２５日検索］、インターネットｈｔｔｐ：／／ｗｗｗ．ｅｖｅｒ−ｒｉｓｅ．ｃｏ．ｊｐ／ａｄｔｅｃｈ−ｂｌｏｇ／ｗｈａｔ−ｉｓ−ｃｏｏｋｉｅｓｙｎｃ．ｈｔｍｌ
【００２２】＝＝＝広告主入札条件・広告設定管理画面＝＝＝
ポイントリターゲティングサーバには広告主が入札金額と広告バナーとターゲットとする対象とするポイント会員  ランディングページＵＲＬならびに入札条件を、ネットを介して設定できる広告主管理画面が設定されている。
図５は広告主１の設定例である。
この事例では、
広告ＩＤ：ＡＤ１＿００１の場合は、Ｂカード会員で広告主サイト１を閲覧したが、商品購入をしていない離脱・非成約ユーザをターゲットとしている。
広告ＩＤ：ＡＤ１＿００２の場合は、Ｂカード会員で広告主サイト１の閲覧も商品購入もしていない、完全に新規のユーザをターゲットしている。
上記の２例とも、すでに商品購入を行っているユーザを除外しているので、ポイントコストが削減ができる。  商品購入をしているユーザであっても、直近の一定期間に購入が無いユーザをターゲットして再購入を促しても良い。  本事例では広告入札価格ＣＰＭ（千回表示単位の価格Ｉで記載してあるが、ＣＰＣ（１クリック単位の価格）であっても良い。
【００２３】＝＝＝ポイントサイト入札条件・広告設定管理画面＝＝＝
Ｅコマースサイトや旅行予約サイト、その他各種申し込みサイトが通常は広告主として、１以上のポイント付与広告を登録し入札を行うが、ポイント会員サイト自身が自社サイトの利用促進策として、自社会員をターゲットして広告入札を行う場合もある。
その場合は、広告主管理画面に自社のポイントが付与される広告バナーとランディングページＵＲＬが登録され、リターゲットされるのは、当該ポイント会員サイトの閲覧履歴のあるユーザとなる。
図６はＡ航空会社のポイント会員サイトの設定例である。
この事例では、
広告ＩＤ：ＰＴ１＿００７の場合は、Ａ航空会社会員で広告主サイト１を閲覧したが、商品購入をしていない離脱・非成約ユーザをターゲットとしている。
広告ＩＤ：ＰＴ１＿００８の場合は、Ａ航空会社会員で広告主サイト１の閲覧も商品購入もしていない、広告主１の新規のユーザをターゲットしている。
広告ＩＤ：ＰＴ１＿００９の場合は、Ａ航空会社会員で広告主サイト１を閲覧して、商品購入をおこなっている、広告主１の既存客であるユーザをターゲットしている。
本事例では広告入札価格ＣＰＭ（千回表示単位の価格Ｉで記載してあるが、ＣＰＣ（１クリック単位の価格）であっても良い。
【００２４】＝＝＝ポイント会員サイト閲覧履歴＝＝＝
図７は１ユーザ（ユーザＩＤ：１２３４５６７８）のポイント会員サイトの閲覧履歴例である。  本ユーザは過去１年間にＡ，Ｂ，Ｃの３つポイント会員サイトへの閲覧履歴がある。
請求項６の発明によれば、最も直近に閲覧されたＢカード会社ポイントがユーザ１の主に収集しているポイントとして選択される。
請求項７の発明によれば、過去３カ月間で最も閲覧回数（４回）が多いＡ航空会社ポイントがユーザ１の主に収集しているポイントとして選択される。
請求項８の発明によれば、過去３カ月間で最も滞在時間（８分）が長いＣカード会社ポイントがユーザ１の主に収集しているポイントとして選択される。
【００２５】＝＝＝広告主サイト閲覧履歴＝＝＝
図８は１ユーザ（ユーザＩＤ：１２３４５６７８）のの広告主サイト閲覧履歴例である。
本ユーザは過去１年間に広告主１，広告主２，広告主３サイトへの閲覧履歴がある。
広告主２は商品購入完了ページの閲覧履歴があることより商品購入実績有と推定する。
商品広告主４サイトの閲覧履歴は無い。
【００２６】広告主１がポイントリターゲティング広告を実施する事例につき説明する。
請求項６の発明によれば、ユーザ１はＢカード会社が最も直近の閲覧があり、主に収集するポイントとなる。  ユーザ１は広告主１の閲覧履歴はあるが、購買履歴は無いので、広告ＩＤ：ＡＤ１＿００１のＢカード閲覧有・広告主１閲覧有・購入無のグループリストが適用され、入札価格は￥１２０が適用される。
【００２７】請求項７の発明によれば、  ユーザ１は、Ａ航空会社の閲覧回数（４回）が最も多く、主に収集するポイントとなる。ユーザ１は広告主１の閲覧履歴はあるが、購買履歴は無いので、広告ＩＤ：ＡＤ１＿００３のＡ航空閲覧有・広告主１閲覧有・購入無のグループリストが適用され、入札価格は￥１５０が適用される。
【００２８】請求項８の発明によれば、  ユーザ１は、Ｃカード会社の滞在時間（８分）が最も長く、主に収集するポイントとなる。  ユーザ１は広告主１の閲覧履歴はあるが、購買履歴は無いので、広告ＩＤ：ＡＤ１＿００５のＣカード閲覧有・広告主１閲覧有・購入無のグループリストが適用され、入札価格は￥８０が適用される。
【００２９】＝＝＝広告入札・配信＝＝＝
図９の広告入札のフローを説明する。
▲１▼ユーザ１がＳＳＰ＿ｘに所属し、該ＳＳＰ＿ｘの広告枠ＡＳ＿１が設定されているメディア１を閲覧する。
▲２▼メディア１より、ユーザのインプレッション（閲覧）発生がＳＳＰ＿ｘに通知される。
▲３▼ＳＳＰ＿ｘより、ポイントリターゲティングサーバを含む１以上の連携するＤＳＰにユーザ１に対する入札要求が行われる。
▲４▼配信条件にマッチした広告主１，３，５が図７に記載の価格で入札される。
2018081663.tif 000003
▲６▼広告主１の広告バナーＡＤ１＿００３が、広告枠ＡＳ＿１に配信される。
【００３０】＝＝＝広告バナー・ページ遷移＝＝＝
図１０に記載の広告バナーのクリック遷移について説明する。  広告が配信されて以後については本発明の直接の範囲ではないが、実際のユーザのアクティビティーや発明の効果を理解するのに有用である。
▲７▼広告主１バナーには、ユーザ１が蓄積している、Ａ航空会社のマイル（ポイント）が購入金額の５％分もらえる表記がされている。またユーザ１は広告主１ページを過去閲覧し購入検討をしたことがある。自己が収集しているポイントが獲得できることより、通常の広告よりユーザのメリットが高いのでクリック率は高くなると考えられる。ユーザ１がメディア１に配信された広告バナーＡＤ１＿００１をクリックする。
▲８▼ポイントリターゲティングサーバ＿ａを経由する。この際にＳＳＰの広告スペースＩＤ・広告ＩＤ他のクリック記録がポイントリターゲティングサーバに記録される。
▲９▼広告主１ランディングページ
ｈｔｔｐｓ：／／ｗｗｗ．ａ−ａｉｒ．ｃｏ．ｊｐ／ｍｅｍｂｅｒ／ｃａｍｐａｉｇｎ／ａｄ１／に誘導される。広告主１ランディングページに記載のキャンペーン内容・ポイント付与条件を確認する
▲１０▼会員ログインページにＩＤ／ＰＷを入力して、会員識別情報を特定する。  こちらは
キャンペーンページに含まれていても良いし、ＰＯＰＵＰでも良い。  また、ＣＯＯＫＩＥ・端末識別情報により、会員識別情報を予め特定できる場合には、ＬＯＧＩＮは省略しても良い。広告主１ページに移動する際にユーザ１のＡ航空会員識別情報がＣＯＯＫＩＥに書き込まれるか、移動時にパラメータとして広告主サーバに通知される。
▲１１▼広告主１のＥコマースサイトに移動してユーザ１がショッピングを行う。
▲１２▼広告主１サイトにて商品の購入が完了する。
▲１３▼ユーザ１のＡ航空会員識別情報を含む取引情報がＡ航空会社のポイントシステムに通知される。  アフィリエイトＡＳＰを経由して通知されても良い。
▲１４▼所定の方法にてユーザ１のＩＤにポイント口座に売上金額の５％など指定された計算方法により算出されたＡ航空会社のポイントが加算される。
【００３１】＝＝＝携帯通信端末の実施例＝＝＝
請求項５の発明は屋外に携帯通信端末での利用を前提としており、ユーザを実店舗や飲食店や住宅展示場やアミューズメント施設などへの集客を目的とする。
本発明の広告主は図１１のように、広告主管理画面に、集客したい店舗・施設毎に、入札条件を設定する。その中には店舗・施設毎の位置情報（緯度・経度情報）が含まれる。  ユーザが主として収集しているポイントの判定方法や広告主閲覧履歴の取得方法については、前記ＰＣによる実施例と同じである。ＳＳＰからユーザ１の広告入札要求が通知される際に、ＳＳＰのユーザ識別情報に加えて、少なくとも広告入札要求のあった端末の位置情報も通知される。  入札条件には指定条件の店舗位置から所定の距離内（例では８００ｍ）位置情報が通知された場合に、当該店舗の広告バナーが配信される。２以上の店舗の指定範囲に含まれていた場合には、最も近接している店舗の広告が入札される。もしくは広告主で優先順位をつけた店舗の広告が入札される。
【００３２】＝＝＝携帯通信端末広告主入札条件・広告設定管理画面＝＝＝
ポイントリターゲティングサーバにはＭ広告主１が図１１に記載の入札金額とターゲットとする対象とするポイント会員，  対象店舗名，  対象店舗位置情報，対象時間（営業時間），対象店舗の広告バナーとランディングページＵＲＬならびに入札条件を、ネットを介して設定できる広告主管理画面が設定されている。
この事例では、Ｍ広告主１は広告主１（ネットショップ）の実店舗広告である。
Ｍ広告ＩＤ：ＭＡ１＿０１６の場合は、新宿店の広告でＢカード会員かつ本広告主のネットショップの閲覧者をターゲットとしている。
Ｍ広告ＩＤ：ＭＡ１＿０１７の場合は、渋谷店の広告でＢカード会員かつ本広告主のネットショップの閲覧者をターゲットとしている。
Ｍ広告ＩＤ：ＭＡ１＿０１８の場合は、銀座店の広告でＢカード会員かつ本広告主のネットショップの閲覧者をターゲットとしている。
上記の例ではとも、来店経験有無・店舗での商品購入の有無の入札条件を設定していないが、実店舗でのユーザアクティビティーの履歴がＤＢに登録できる場合には、
Ｍ広告ＩＤ：ＭＡ＿０１８〜０２０のように、実店舗の訪問や購買を条件設定してよい。
前記Ｅコマースの実施例１のように、すでに商品購入を行っているユーザを除外してコストの削減をすることができる。  同様に商品購入をしているユーザであっても、直近の一定期間に購入が無いユーザをターゲットして再購入を促しても良い。  本事例では広告入札価格ＣＰＭ（千回表示単位の価格Ｉで記載してあるが、ＣＰＣ（１クリック単位の価格）であっても良い。
【００３３】落札して配信される店舗の広告には、該店舗に来店することで、指定のポイントがもらえるか該店舗で購入金額の所定の％のポイントがもらえることが表示される。
【００３４】実店舗のユーザのアクティビティーのトラッキング方法については、下記特許文献３〜６に来店を確認する方法や購入金額を確認する方法が詳細に説明されている。
【特許文献３】特開２００８−０２１３０３号公報
【特許文献４】特許５２１０７０７号
【特許文献５】特開２０１４−１０６６３３号公報
【特許文献６】特開２０１５−１５６１８０号公報本発明の直接の発明対象ではないが、実店舗への訪問や購入についても、Ｅコマースと同様に前記特許文献事例を含む種々の方法でユーザのアクティビティーをトラッキングして、広告の成果対象アクションに基づき、ユーザにポイント還元を行うことができる。
【００３５】＝＝＝携帯通信端末広告入札・配信＝＝＝
図１２の携帯通信端末の広告入札のフローを説明する。
▲１▼Ｍユーザ１が現在位置（３５．６９０９０９８，１３９．７０４７１９）でＳＳＰ＿ｘに所属し、該ＳＳＰ＿ｘの広告枠ＡＳ＿１が設定されているＭメディア１を閲覧する。現在位置はＭ広告主１の新宿店所在地（３５．６９０９０９９，１３９．７０４７１８）の８００Ｍ以内である。
▲２▼Ｍメディア１より、ユーザのインプレッション（閲覧）発生がＳＳＰ＿ｘに通知される。通知される情報には、ユーザ端末の位置情報（３５．６９０９０９８，１３９．７０４７１９）が含まれる。
▲３▼ＳＳＰ＿ｘより、ポイントリターゲティングサーバを含む１以上の連携するＤＳＰに
ユーザ１に対する入札要求が行われる。
▲４▼配信条件にマッチしたＭ広告主１，３，５の新宿店の広告が図７に記載の入札価格で入札される。
▲５▼最も入札額が高額であるＭ広告主１の新宿店広告が落札する。
▲６▼Ｍ広告主１の広告バナーＭＡ１＿０１６が、広告枠ＭＡＳ＿１に配信される
【００３６】＝＝＝携帯通信端末広告バナー・ページ遷移＝＝＝
図１４に記載の広告バナーのクリック遷移について説明する。  広告が配信されて以後については本発明の直接の範囲ではないが、実際のユーザのアクティビティーや発明の効果を理解するのに有用である。
Ｍ広告主１バナーには、Ｍユーザ１が収集しているＢカード会社のポイントが新宿店での購入金額の５％分もらえる表記がされている。  自己が収集しているポイントが獲得できることより、通常の広告よりユーザのメリットが高いのでクリック率は高くなると考えられる。
▲７▼Ｍユーザ１がメディア１に配信された広告バナーＭＡ１＿０１６をクリックする。
▲８▼ポイントリターゲティングサーバ＿ａを経由する。
この際にＳＳＰの広告スペースＩＤ・広告ＩＤ他のクリック記録がポイントリターゲティングサーバに記録される。
▲９▼Ｍ広告主１新宿店ランディングページ
（ｈｔｔｐ：／／ｗｗｗ．ｂ−ｃａｒｄ．ｃｏ．ｊｐ／ｍｅｍｂｅｒ／ｓｈｏｐ１／ｓｈｉｎｊｕｋｕ／）に誘導される。Ｍ広告主１ランディングページに記載のキャンペーン内容・ポイント付与条件を確認する。
▲１０▼Ｂカード会員ログインページにＩＤ／ＰＷを入力して、会員識別情報を特定する。
ＣＯＯＫＩＥ・端末識別情報により、会員識別情報を予め特定できる場合には、ＬＯＧＩＮは省略しても良い。  Ｍ広告主１エントリーページに移動する際にユーザ１のＢカード会社会員識別情報がＣＯＯＫＩＥに書き込まれるか、端末識別情報と紐づけて記録されるか、移動時にパラメータとして広告主サーバに通知される。
▲１１▼広告主エントリーページに移動してＭユーザ１がエントリー行う。前記▲１０▼と同様に
ＣＯＯＫＩＥ・端末識別情報により、会員識別情報を予め特定できる場合には、エントリーのステップを省略しても良い。
▲１２▼Ｍ広告主１の新宿店（実店舗）に訪問しショッピングを行う。
▲１３▼レジにて商品代金を支払い商品購入が完了する。
▲１４▼Ｍユーザ１のＢカード会社会員識別情報を含む取引情報がＢカード会社のポイントシステムに通知される。  アフィリエイトＡＳＰを経由して通知されても良い。
▲１５▼所定の方法にてＭユーザ１の会員ポイント口座に売上金額の５％など指定された計算方法により算出されたＢカード会社のポイントが加算される。
【００３７】＝＝＝ユーザ選択ポイント広告バナー・ページ遷移＝＝＝
図１４はユーザが選択する広告バナーならびにクリック遷移例である。  ユーザ１が航空会社Ａ、カード会社Ｂ、カード会社Ｃの複数のポイントを収集している場合には、ユーザ自身が、広告取引にて獲得できるポイントをクリックで選択することができるようになっている。
▲２▼ユーザがＡ航空を選択すると、Ａ航空キャンペーンランディングページに、▲２▼ユーザがＢカードを選択すると、Ｂカードキャンペーンランディングページに、▲３▼ユーザがＣカードを選択すると、Ｃカードキャンペーンランディングページに遷移する。  以下のフローは前記ＰＣＷＥＢならびに携帯通信端末フローと同じである。ポイントの選択方法はラジオボタンやプルダウンでも良いし、ローテーション表示であっても良い。
【図１】
2018081663.tif 000004
【図２】
2018081663.tif 000005
【図３】
2018081663.tif 000006
【図４】
2018081663.tif 000007
【図５】
2018081663.tif 000008
【図６】
2018081663.tif 000009
【図７】
2018081663.tif 000010
【図８】
2018081663.tif 000011
【図９】
2018081663.tif 000012
【図１０】
2018081663.tif 000013
【図１１】
2018081663.tif 000014
【図１２】
2018081663.tif 000015
【図１３】
2018081663.tif 000016
【図１４】
2018081663.tif 000017
【図１５】
2018081663.tif 000018